(57)【要約】      （修正有）【課題】ＩＣカードとＩＣカードリーダとの間においてデータ通信の不具合が生じた場合に、その原因がどちらにあるかを迅速に明らかにすること。【解決手段】ＩＣカード２０用の動作制御信号ＰをＩＣカード２０の入出力端子部２１ａを介して当該ＩＣカード２０に送り込む制御信号出力用の制御用端子３を備え、前記制御用端子３から離れた位置で前記ＩＣカード２０の入出力端子２１ａに接触させ且つ当該入出力端子２１ａを介して前記制御信号Ｐを監視制御信号Ｓとして受信する監視用端子３１と、この監視用端子３１で捕捉される前記監視制御信号Ｓが予め特定されたＩＣカード２０用の制御信号と比較して正常なものであるか否かを判定しその結果を出力するＩＣカードアクセス信号監視部３３とを装備したこと。【選択図】図１
2008186301.tif 000002
【特許請求の範囲】
【請求項１】
ＩＣカード用の動作制御信号を生成する制御信号生成部と、この生成されたＩＣカード用の動作制御信号を前記ＩＣカードに設けられた入出力端子に当接し当該入出力端子を介して前記ＩＣカードに送り込む制御信号出力端子とを備えたリータライタ本体を有するＩＣカードリーダライタにおいて、
前記リーダライタ本体に、前記制御信号出力端子から離れた位置で前記ＩＣカードの入出力端子に接触させ且つ当該入出力端子を介して前記制御信号を監視制御信号として受信する監視用端子と、この監視用端子で捕捉される前記監視制御信号が予め特定されたＩＣカード用の制御信号と比較して正常なものであるか否かを判定しその結果を出力するＩＣカードアクセス信号監視部とを装備したことを特徴とするＩＣカードリーダライタ。
【請求項２】
前記請求項１に記載のＩＣカードリーダライタにおいて、
前記ＩＣカードアクセス信号監視部は、前記ＩＣカードの異常検査に際し、前記監視制御信号が予め特定されたＩＣカード用の制御信号と比較して正常なものである場合には前記ＩＣカードが異常である旨判定するＩＣカード異常判定機能を備えていることを特徴としたＩＣカードリーダライタ。
【請求項３】
前記請求項２に記載のＩＣカードリーダライタにおいて、
前記ＩＣカードアクセス信号監視部は、前記ＩＣカードの異常検査に際し、前記監視制御信号が予め特定されたＩＣカード用の制御信号と比較して異なったものである場合には前記リーダライタ本体が異常である旨判定するリーダライタ側異常判定機能を備えていることを特徴としたＩＣカードリーダライタ。
【請求項４】
前記請求項１乃至４に何れか一つに記載のＩＣカードリーダライタにおいて、
前記監視用端子で捕捉される監視制御信号を前記ＩＣカードアクセス信号監視部に送り込む制御信号検出部を、前記ＩＣカードアクセス信号監視部の入力側に装備したことを特徴とするＩＣカードリーダライタ。
【請求項５】
前記請求項１、２又は３に記載のＩＣカードリーダライタにおいて、
前記ＩＣカードアクセス信号監視部は、前記監視用端子を介して取り込む前記監視制御信号として、前記ＩＣカード用の入力電源の電圧と前記ＩＣカード用の動作制御信号のタイミングとを対象としたことを特徴とするＩＣカードリーダライタ。
【請求項６】
ＩＣカードの動作制御信号を生成する制御信号生成工程と、
この生成されたＩＣカードの動作制御信号を制御信号出力端子により前記ＩＣカードの入出力端子に当接し当該入出力端子を介して前記ＩＣカードに送り込む制御信号出力工程と、
前記ＩＣカードの入出力端子上で前記制御信号出力端子から離れた位置にて監視用端子を前記ＩＣカードに接触させ且つ当該入出力端子を介して前記制御信号を監視制御信号として受信する監視制御信号受信工程と、
前記監視用端子で受信される前記監視制御信号が予め特定されたＩＣカード用の制御信号と比較して正常なものであるか否かを判定しその結果を出力するＩＣカードアクセス信号監視工程とを備えたことを特徴とするＩＣカード用故障検出方法。
【請求項７】
ＩＣカード用の動作制御信号を生成する制御信号生成機能、
この生成されたＩＣカード用の動作制御信号が前記ＩＣカードに設けられた入出力端子を介して監視制御信号として受信された場合にこれを検出処理する信号検出処理機能、
この検出処理された前記監視制御信号を予め特定されたＩＣカード用の制御信号と比較すると共に当該監視制御信号が正常なものであるか否かを判定しその結果を出力するＩＣカードアクセス信号監視機能、
をコンピュータに実行させるように構成したことを特徴とするＩＣカード用故障検出プログラム。
【発明の詳細な説明】
【技術分野】
【０００１】
本発明は、ＩＣカードに対する書き込み／読み出しを実行するＩＣカードリーダライタ等に係り、特に、ＩＣカードに対する書き込み又は読み出し時に発生する通信異常に対して、その通信異常の原因を特定するためのＩＣカードリーダライタ、ＩＣカード用故障検出方法、およびそのプログラムに関する。
【背景技術】
【０００２】
一般に、ＩＣカードリーダライタは、ＩＣカードに接点を接触させて当該ＩＣカード動作用の電源と制御信号とをＩＣカードに印加するためのものである。このようなＩＣカードリーダライタによるＩＣカードアクセスに際し、不具合が発生した場合、上記従来例では、その不具合の原因がＩＣカードリーダライタにあるのか、或いはＩＣカード側にあるのかの判断をすることは出来ない。
【０００３】
一方、ＩＣカードアクセス時に発生する不具合に対応して、従来より、アクセスエラー等の故障検出方法等に関する下記の技術内容（特許文献１乃至４）が知られている。
【０００４】
即ち、特許文献１（特開平1-177181号）には、ＩＣカードリーダによるＩＣカードアクセス中にＩＣカードリーダからの電源供給がなくなるという事故に対しては、直ちにこれを検知してＩＣカード内のデータを有効に保護する手法が開示されている。
又、特許文献２（特開2000-082119 号）には、ノイズ環境下においてＩＣカードアクセスが実行された場合に、当該ノイズ環境下でＩＣカードに対して正常な情報通信が実行できたか否かを、リーダライタが報知するようにした技術が開示されている。
【０００５】
更に、特許文献３（特開2006-40098号）には、非接触式のＩＣカードシステムにおいて、サーバに接続された端末がデータを受信したときに、受信したデータの様式やタイミングをチェックし、データがＩＣカードのデータであると判断したときに、そのデータを報知するようにした技術が開示されている。
又、特許文献４（特開平06-325222 号）には、ＩＣカード上の接点を介してデータ通信が行われるタイプのＩＣカードとＩＣカードリーダライタとにより構成されたシステムが開示され、接点不良による障害を防ぐために、ＩＣカードとの交信信号のレベルをチェックして所定レベルに達しないときに交信を停止し、ＩＣカードを不具合として排出する技術が開示されている。
【特許文献１】特開平１−１７７１８１号公報
【特許文献２】特開２０００−０８２１１９号公報
【特許文献３】特開２００６−４００９８号公報
【特許文献４】特開平６−３２５２２２号公報
【発明の開示】
【発明が解決しようとする課題】
【０００６】
しかしながら、上記各特許文献１乃至４にあっては、いずれも故障に際してデータを如何にして有効に保護するかを意図したものであり、そのＩＣカードアクセス時のＩＣカードとＩＣカードリーダライタとについて、その不具合を分析して故障原因が何れにあるかを特定したものとはなっていない。
【０００７】
一方、ＩＣカードアクセスの不具合には通信異常の発生が多い。かかる状態が発生すると、ＩＣカードリーダライタとＩＣカードとの相互間で通信が出来ない（アクセスエラー）状態となる。このため、上記各従来例にあっては、かかるアクセスエラー状態が発生すると、その通信異常の原因がＩＣカード内部の問題であるのかＩＣカードリーダにあるのかについてその場で迅速にチェックすることは難しい。
【０００８】
（発明の目的）
本発明は、上記従来例の有する不都合を改善し、ＩＣアクセス時にＩＣカードに対するデータの通信が出来ない等の不具合が生じた場合に、この原因がＩＣカード側若しくはＩＣカードリーダ側のいずれに有るかを迅速に特定することを可能としたＩＣカードリーダライタ、ＩＣカード用故障検出方法、およびそのプログラムを提供することを、その目的とする。
【課題を解決するための手段】
【０００９】
上記目的を達成するため、本発明にかかるＩＣカードリーダライタは、ＩＣカード用の動作制御信号を生成する制御信号生成部と、この生成されたＩＣカード用の動作制御信号を前記ＩＣカードに設けられた入出力端子に当接し当該入出力端子を介して前記ＩＣカードに送り込む制御信号出力用の信号出力端子とを備えたリータライタ本体を有する。
【００１０】
そして、前述したリーダライタ本体に、前記信号出力端子から離れた位置で前記ＩＣカードの入出力端子に接触させ且つ当該入出力端子を介して前記制御信号を監視制御信号として受信する監視用端子と、この監視用端子で捕捉される前記監視制御信号が予め特定されたＩＣカード用の制御信号と比較して正常なものであるか否かを判定しその結果を出力するＩＣカードアクセス信号監視部とを装備する、という構成を採っている（請求項１）。
このため、これによると、ＩＣカードアクセス信号監視部から出力される判定結果により、ＩＣカードとＩＣカードリーダライタの何れが異常かを、確実に且つ迅速に判断することが可能となる。
【００１１】
ここで、前述したＩＣカードアクセス信号監視部は、前記ＩＣカードの異常検査に際し、前記監視制御信号が予め特定されたＩＣカード用の制御信号と比較して正常なものである場合には前記ＩＣカードが異常である旨判定するＩＣカード異常判定機能を備えた構成としてもよい。又、前述したＩＣカードアクセス信号監視部は、前記ＩＣカードの異常検査に際し、前記監視制御信号が予め特定されたＩＣカード用の制御信号と比較して異なったものである場合には前記リーダライタ本体が異常である旨判定するリーダライタ側異常判定機能を備えた構成としてもよい（請求項２乃至３）。
【００１２】
更に、前述したＩＣカードアクセス信号監視部の入力側に、前記監視用端子で捕捉される監視制御信号を前記ＩＣカードアクセス信号監視部に送り込む制御信号検出部を装備した構成としてもよい。又、前述したＩＣカードアクセス信号監視部は、前記監視用端子を介して取り込む前記監視制御信号として、前記ＩＣカード用の入力電源の電圧と前記ＩＣカード用の動作制御信号のタイミングとを対象とするように構成してもよい（請求項４乃至５）。
【００１３】
又、上記目的を達成するため、本発明にかかるＩＣカード用故障検出方法では、ＩＣカードの動作制御信号を生成する制御信号生成工程と、この生成されたＩＣカードの動作制御信号を信号出力端子によって前記ＩＣカードの入出力端子に当接し当該入出力端子を介して前記ＩＣカードに送り込む制御信号出力工程と、前記ＩＣカードの入出力端子上で前記信号出力端子から離れた位置にて監視用端子を前記ＩＣカードに接触させ且つ当該入出力端子を介して前記制御信号を監視制御信号として受信する監視制御信号受信工程と、前記監視用端子で受信される前記監視制御信号が予め特定されたＩＣカード用の制御信号と比較して正常なものであるか否かを判定しその結果を出力するＩＣカードアクセス信号監視工程とを備える、という構成を採っている（請求項６）。
【００１４】
これにより、最終工程であるＩＣカードアクセス信号監視工程によって判定され出力される制御信号が異常か否かの判定結果に基づいて、ＩＣカードとＩＣカードリーダライタの何れが異常かを確実に且つ迅速に判断することが可能となる。
【００１５】
更に、上記目的を達成するため、本発明にかかるＩＣカード用故障検出プログラムでは、ＩＣカード用の動作制御信号を生成する制御信号生成機能、この生成されたＩＣカード用の動作制御信号が前記ＩＣカードに設けられた入出力端子を介して監視制御信号として受信された場合にこれを検出処理する信号検出処理機能、この検出処理された前記監視制御信号を予め特定されたＩＣカード用の制御信号と比較すると共に当該受信された監視制御信号が正常なものであるか否かを判定しその結果を出力するＩＣカードアクセス信号監視機能、をコンピュータに実行させるように構成したことを特徴とする（請求項７）。
このため、これによると、コンピュータによる演算処理によって、受信された制御信号が異常か否かの判定され出力されるので、この結果に基づいて、ＩＣカードとＩＣカードリーダライタの何れが異常かを確実に且つ迅速に判断することが可能となる。
【発明の効果】
【００１６】
本発明は以上のように構成され機能するので、これによると、アクセスエラーに対しては、ＩＣカードアクセス信号監視部から出力される判定結果により、ＩＣカードとＩＣカードリーダライタの何れが異常かを、確実に且つ迅速に判断することが可能となり、又、ＩＣカード用の制御信号を用いて当該異常判定がなされるので、故障判定用の信号を別に生成する必要もないことから、回路構成を単純化することができ且つ信頼性あるＩＣカードリーダライタを得ることができる、という従来にない優れたＩＣカードリーダライタ、ＩＣカード用故障検出方法、およびそのプログラムを提供することができる。
【発明を実施するための最良の形態】
【００１７】
以下、本発明の一実施形態を添付図面に基づいて説明する。
図１は、本実施形態にかかるＩＣカードリーダライタの構成を示すブロック図である。この図１において、符号１はＩＣカードアクセス制御部を示す。このＩＣカードアクセス制御部１は、ＩＣカード２０に対する電力供給および制御信号の伝送等を規制する機能を備えている。
【００１８】
このＩＣカードアクセス制御部１には、その出力側に、前記ＩＣカードアクセス制御部１からの指令によって作動しＩＣカード２０用の動作制御信号を生成する制御信号生成部２と、この制御信号生成部２で生成されたＩＣカード２０用の動作制御信号を前記ＩＣカード２０に送り込む信号出力端子３とが装備されている。符号１０は、上記ＩＣカードアクセス制御部１、制御信号生成部２、および信号出力端子３を備えて構成されたリーダライタ本体を示す。
【００１９】
このリーダライタ本体１０は、本実施形態では、ＩＣカードアクセスに際して日常的に使用されるＩＣカードリーダライタの制御信号Ｐを生成し出力する構成部分の要部により構成されている。
【００２０】
ここで、信号出力端子３は、前述したＩＣカード２０に予め設けられている入出力端子２１ａ，２１ｂ，２１ｃ，……の内の一つ（例えば入出力端子２１ａ）に当接し、前述した制御信号生成部２から送られてくる制御信号Ｐを入出力端子２１ａを介してＩＣカード２０へ送り込むように機能する。
【００２１】
このＩＣカード２０の概要を図２に示す。この図２において、ＩＣカード２０は、例えば面状に形成された複数の入出力端子２１ａ，２１ｂ，２１ｃ，……から成る入出力端子部２１と、この入出力端子部２１の内の一の入出力端子（例えば２１ａ）を介して前述した制御信号Ｐに付勢されて作動すると共に，予め設定されたプログラムに従って所定の情報処理を実行し，且つ当該ＩＣカード２０内の各構成部分全体の動作を制御する演算制御部２２と、この演算制御部２２の動作を規制するプログラム及び必要な情報が格納された記憶部２４と、これら各構成部分に動作用の電力を供給する電源回路部２３とを備えて構成されている。この電源回路部２３には、上記出力端子２１ａ，２１ｂ，２１ｃ，……を介して電力が前述した制御信号Ｐにより供給されるようになっている。
【００２２】
上述したリーダライタ本体１０には、故障検出手段３０が装備されている。この故障検出手段３０は、通信異常が発生した場合に、前述したリーダライタ本体１０（ＩＣカードリーダライタ側）およびＩＣカード２０側の双方を対象としてその通信異常にかかる故障がいずれの側にあるかを検出する異常検出機能を備えている。
【００２３】
この故障検出手段３０は、前述した信号出力端子３から離れた位置で前記ＩＣカード２０の入出力端子２１ａに接触させ且つ当該入出力端子２１ａを介して前記制御信号Ｐを監視制御信号Ｓとして受信する監視用端子３１と、この監視用端子３１で捕捉される前記監視制御信号Ｓが予め特定されたＩＣカード２０用の制御信号と比較して正常なものであるか否かを判定しその結果を出力するＩＣカードアクセス信号監視部３３とを含んで構成されている。更に、上述した監視用端子３１とＩＣカードアクセス信号監視部３３との間には、前述した監視用端子３１で捕捉される監視制御信号Ｓを、増幅し且つ雑音を排除して前述したＩＣカードアクセス信号監視部３３へ送り込む制御信号検出部３２が介装されている。
【００２４】
前述したＩＣカードアクセス信号監視部３３は、前述したＩＣカードの異常検査に際しては、監視用端子３１で捕捉される監視制御信号Ｓが予め特定されたＩＣカード用の制御信号（前述した制御信号Ｐに相当する信号情報）と比較して正常なもの（ほぼ一致している）である場合には「ＩＣカード側が異常である」旨判定するＩＣカード異常判定機能を備えている。又、このＩＣカードアクセス信号監視部３３は、前述したＩＣカードの異常検査に際しては、監視用端子３１で捕捉される監視制御信号Ｓが予め特定されたＩＣカード用の制御信号と比較して異なったものである場合には「ＩＣカードリーダライタ側が異常である」旨判定するリーダライタ側異常判定機能を備えている。
【００２５】
ここで、前述したＩＣカードアクセス信号監視部３３は、監視用端子３１を介して取り込む監視制御信号Ｓと同等の信号情報（前述したＩＣカード用の給電電力の電圧レベル及び前記ＩＣカード用の動作制御信号のタイミング）を比較対象として予め特定し記憶した構成となっている。
尚、この制御信号Ｐ（監視制御信号Ｓ）については、上記給電電力の電圧レベル又は前記ＩＣカード用の動作制御信号のタイミングの何れか一方だけでもよい。
【００２６】
又、符号３４はＩＣカードリーダライタ側の記憶部を示す。この記憶部３４は、ＩＣカードアクセス信号監視部３３が有効に作動するための演算処理プログラム或いはＩＣカードアクセス信号監視部３３でデータ処理された各種の情報等が格納されている。又、符号３５はＩＣカードアクセス信号監視部３３で処理された各種情報を表示する表示部を示し、符号３６は前記表示部３５の表示内容を外部出力する外部出力端子を示す。
【００２７】
そして、この記憶部３４に対する情報の入出力動作、表示部３６の情報表示動作、および外部出力端子３６からの情報の外部出力は、本実施例ではそれぞれ前述したＩＣカードアクセス信号監視部３３によって制御されている。
【００２８】
更に、前述したリーダライタ本体１０は、実際には図示しない筐体内に収納装備され、各端子（信号出力端子，監視用端子）３，３１は、この筐体からケーブル３ａ，３１ａを介して外部にて移動自在に接続されている。これにより、オペレータは、前述したＩＣカード２０上の入出力端子２１ａ上の任意の位置に、前述した各端子３，３１を自在に当接可能となっている。
【００２９】
次に、上記図１乃至図２に開示した実施形態の動作を、図３に示すフローチャートに基づいて説明する。
【００３０】
最初に、ＩＣカードリーダライタに電源を投入し当該リーダライタ本体１０を含む装置全体を稼働状態に設定する。
続いて、リーダライタ本体１０内では、まずＩＣカードアクセス制御部１が作動し、制御信号生成部２に対して制御信号（動作制御信号）Ｐの生成を指令する（ステップＳ１０１）。制御信号生成部２は、ＩＣカードアクセス制御部１からの指令に基づいて作動し、ＩＣカード２０用の制御信号Ｓを生成する（ステップＳ１０２：制御信号生成工程）。この制御信号Ｐについては、前述したように電源用の電力の出力電圧を予め設定された値の特定、及びＩＣカード２０に対して必要な各種動作を指令する制御信号のタイミング等、をその内容とする。
【００３１】
次に、制御信号Ｐをアクセス制御信号としてＩＣカード２０に送り込むため、前記制御信号出力端子３がＩＣカード２０側に予め装備された面状の入出力端子２１ａの一端に当接される（ステップＳ１０３：制御信号出力工程）。この場合、制御信号出力端子３のＩＣカード２０に対する当接動作は、オペレータによっても、或いは予め設置された計測システム（図示せず）によって保持されつつその動作が実行されたものであってもよい。このＩＣカードアクセス制御部１、制御信号生成部２、および制御信号出力端子３の上記動作は、本実施例では、ＩＣカード２０に対する通常のアクセス動作と同一の動作手順でなされる。
【００３２】
上記した制御信号出力端子３の前述した入出力端子２１ａに対する当接動作とほぼ同時に、リーダライタ本体１０内に装備された故障検出手段３０側の監視用端子３１が、前記ＩＣカード２０の入出力端子２１ａ上で前記制御信号出力端子から離れた位置にて当該入出力端子２１ａに当接される。この場合、監視用端子３１の前記入出力端子２１ａに対する当接動作は、前述したステップＳ１０１，Ｓ１０２およびＳ１０３よりも先に実行してもよい（かかる状況であっても、当然のことながら、制御信号Ｐが出力されて監視制御信号Ｓが受信される状況は不変である）。
【００３３】
これにより、制御信号生成部２で生成された制御信号Ｐは、ＩＣカード２０の入出力端子２１ａを介して故障検出手段３０の監視用端子３１に監視制御信号Ｓとして捕捉（受信）され、故障検出手段３０の制御信号検出部３２を介してＩＣカード用アクセス信号監視部３３に送られる（ステップＳ１０４：監視制御信号受信工程）。この場合はＩＣカード２０に対するアクセス状態の再現であり、ＩＣカード２０がアクセスされた状態にあって且つ当該アクセス信号である制御信号Ｐが、ＩＣカード２０に入力されると共に監視制御信号Ｓとして故障検出手段３０側に送りこまれるような状態となっている。
【００３４】
そして、上述した制御信号検出部３２では、監視用端子３１で捕捉された雑音を含む受信信号から前述した制御信号Ｐが監視制御信号Ｓとして検出され、その監視制御信号Ｓにかかる給電電圧及び制御信号のタイミングがＩＣカード用アクセス信号監視部３３に送られる。
【００３５】
このＩＣカード用アクセス信号監視部３３では、送信されてきた監視制御信号Ｓの電圧及びタイミングを予め記憶している適正な電圧及びタイミングと比較して当該送信された制御信号Ｓが適正なものか否かを判定しその結果を表示部３５等を介して外部出力する（ステップＳ１０５：ＩＣカードアクセス信号監視工程）。
【００３６】
この場合、本実施形態では、ＩＣカード用アクセス信号監視部３３によって、前述した監視制御信号Ｓが適正なものであれば、直ちに前述したＩＣカード異常判定機能が作動して「ＩＣカードに異常あり」とし、不適正なものであれば、直ちに前述したリーダライタ側異常判定機能が作動して「ＩＣカードに異常なし、ＩＣカードリーダライタ側に異常あり」とする判断をし、その旨、表示部３５で表示すると共に端子３６を介して外部出力し、同時に記憶部３４に記憶する（ステップＳ１０６，Ｓ１０７）。
【００３７】
ここで、上記各ステップＳ１０１〜Ｓ１０７における各工程の実行内容をプログラム化すると共に、当該プログラムを制御信号Ｐの信号生成処理にかかる工程については対応する制御手段であるＩＣカードアクセス制御部１に予め装備されたコンピュータによって実行するように構成してもよい。更に、前述した各ステップＳ１０１〜Ｓ１０７における各工程でプログラム化された実行内容の内、受信信号である監視制御信号Ｓの信号処理にかかる工程については対応する制御手段であるＩＣカード用アクセス信号監視部３３に予め装備されたコンピュータによって実行するように構成してもよい。
このようにしても、このため、これによると、コンピュータによる演算処理によって、受信された制御信号が異常か否かの判定され出力されるので、この結果に基づいて、ＩＣカードとＩＣカードリーダライタの何れが異常かを確実に且つ迅速に判断することが可能となり、前述した実施形態の場合と同様に、本発明の目的を迅速に且つ効率良く達成することができる。
【００３８】
以上のように、ＩＣカード２０とＩＣカードリーダライタとの間において、アクセスエラーが発生したとき、信号出力端子３をＩＣカード２０の入出力端子２１ａに当接したままで、当該入出力端子２１ａに監視用端子を３１をも接続し、制御用端子３から制御信号Ｐを当該入出力端子２１ａに印加することにより、監視用端子３１によってその制御信号Ｐが検出される。そして、ＩＣカード２０とＩＣカードリーダライタとの間でアクセスエラーが生じた場合には、制御信号Ｐが正常であれば、ＩＣカード２０に不具合があり、制御信号Ｐが異常であればＩＣカードリーダライタ側に不具合があることが迅速に判断でき、その対応策を迅速に取ることができる。
【００３９】
即ち、上記実施形態にあっては、ＩＣカード２０とＩＣカードリーダライタのいずれかが不具合であるかを、リアルタイムで迅速に且つ明確に判定され、それが表示部３５等にて表示される。従って、信号出力端子３からＩＣカード２０に印加される制御信号Ｐが正常であれば、アクセスエラーの不具合はＩＣカード２０にあることが判明し、信号出力端子３の制御信号Ｐが正常でなければ、アクセスエラーの不具合はＩＣカードリーダライタ側にあることが判明する。
【００４０】
このように、本実施形態にあっては、ＩＣカードアクセス信号監視部３３から出力される判定結果により、ＩＣカード２０側とＩＣカードリーダライタ側の何れが異常かを、確実に且つ迅速に判断することが可能となる。同時に、ＩＣカード２０用の制御信号Ｓを用いて当該異常判定がなされるので、チェック用の信号を別に生成する必要もないことから、回路構成を単純化することができ、異常検出時の作業も迅速化することができ、かかる機能を別に測定機を準備することなく実施し得るので、ＩＣカードリーダライタの信頼性を高めることができるばかりでなく、汎用性を著しく高めることができる。
【産業上の利用可能性】
【００４１】
他の電子機器における能動素子に対する駆動回路に、かかるチェック機構を組み込むという発想が、今後広まる可能性がある。
【図面の簡単な説明】
【００４２】
【図１】本発明の一実施形態にかかるＩＣカードリーダライタの構成を示すブロック図である。
【図２】図１に開示した実施形態におけるＩＣカードの一例を示す概略平面図である。
【図３】図１に開示した実施形態におけるＩＣカードリーダライタの動作を示すフローチャートである。
【符号の説明】
【００４３】
１  ＩＣカードアクセス制御部
２  制御信号生成部
３  信号出力端子
１０  リードライタ本体
２０  ＩＣカード
２１  入出力端子部
２１ａ，２１ｂ，２１ｃ，・・  入出力端子
３０  故障検出手段
３１  監視用端子
３２  制御信号検出部
３３  ＩＣカードアクセス信号監視部
３４  記憶部
３５  表示部
Ｐ    制御信号（出力制御信号）
Ｓ    監視制御信号
【図１】
2008186301.tif 000003
【図２】
2008186301.tif 000004
【図３】
2008186301.tif 000005